(57)【特許請求の範囲】
【請求項１】
鍵が取り付けられているキーカセットを収納するホルダと、  このホルダに対して支点を中心に回動自在に設けられている連結部材と、
上記連結部材に設けられ、上記連結部材の回動により上記ホルダ内に出没するとともに、突出時に上記キーカセットの係合部に係合して上記キーカセットの取り出し方向への移動を規制する係合ピンと、
上記連結部材に連結されたプランジャを有し、励磁時に上記係合ピンが没する方向へ上記連結部材を回動させるソレノイドと、
上記連結部材に設けられるとともに、上記支点に対して上記プランジャと反対側に配置され、上記ソレノイドの非励磁時における上記連結部材の回動を防止する釣合重りと
を備えていることを特徴とする鍵保管装置。
【請求項２】
釣合重りは、連結部材の支点を中心とするモーメントがプランジャと釣り合うように上記連結部材に設けられていることを特徴とする請求項１記載の鍵保管装置。
【請求項３】
支点がホルダの側面に設けられていることを特徴とする請求項１又は請求項２記載の鍵保管装置。
【請求項４】
釣合重りの形状が支点を中心とする円弧状であることを特徴とする請求項１ないし請求項３のいずれかに記載の鍵保管装置。
【請求項５】
連結部材、係合ピン及び釣合重りは、ろう材を鋳造することにより一体的に設けられていることを特徴とする請求項１ないし請求項４のいずれかに記載の鍵保管装置。
【発明の詳細な説明】
【０００１】
【発明の属する技術分野】
この発明は、例えば複数のテナントが利用しているビルにおいて、各室の鍵を１箇所に保管する鍵保管装置に関するものである。
【０００２】
【従来の技術】
図６は従来の鍵保管装置の一例を示す斜視図である。図において、１は保管装置本体、２は鍵（図示せず）が取り付けられているキーカセット、３は保管装置本体１に並べて設けられ、それぞれキーカセット２を収納する複数のキーカセット収納部、４は保管装置本体１に設けられているカードリーダである。
【０００３】
図７は図６のキーカセット２の断面図、図８は図６のキーカセット収納部３の断面図であり、例えば特開平４−２４７１７８号公報に示されているものと同様である。図７において、５はキーカセット２に設けられた鍵取付軸であり、この鍵取付軸５には鍵が回動自在に取り付けられる。６はキーカセット２に設けられた鍵収納溝、７はキーカセット２に設けられた係合部である。
【０００４】
図８において、８は保管装置本体１の表板、９はキーカセット２を収納するホルダ、１０はばね付蝶番１１を介して表板８に取り付けられ、ホルダ９の前面の開口部を開閉する開閉扉、１２はホルダ９内の奥部に設けられ、キーカセット２をホルダ９外へ押し出す押し出しばね、１３は支点１４を中心に回動自在に設けられているＬ字形の連結部材である。
【０００５】
１５は連結部材１３の一端部に回動自在に連結され、上下動することによりホルダ９内に出没する係合ピンであり、この係合ピン１５は、突出時にキーカセット２の係合部７に係合してキーカセット２の取り出し方向への移動を規制する。１６はホルダ９の下部に取り付けられているソレノイドであり、このソレノイド１６には、先端部が連結部材１３の他端部に回動自在に連結され図の左右方向へ往復動するプランジャ１７が設けられている。１８はソレノイド１６から突出する方向へプランジャ１７を付勢するプランジャ用ばねである。
【０００６】
次に、動作について説明する。押し出しばね１２に逆らってキーカセット２をホルダ９内に押し込むと、係合ピン１５が係合部７に係合し、キーカセット２がホルダ９から引き出せなくなる。この状態から、キーカセット２を取り出したい場合には、カードリーダ４で所定のカード操作を行う。これにより、ソレノイド１６が励磁され、プランジャ用ばね１８に逆らってプランジャ１７がソレノイド１６側へ引き込まれる。このプランジャ１７の移動により、連結部材１３が回動し、係合ピン１５が下方へ没する。この結果、係合ピン１５の係合部７への係合状態が解除され、押し出しばね１２によりキーカセット２がホルダ９から押し出される。キーカセット２を抜き出すと、開閉扉１０によりホルダ９の開口部が自動的に閉じられる。
【０００７】
【発明が解決しようとする課題】
上記のように構成された従来の鍵保管装置においては、プランジャ１７が例えば１０ｇ以下の軽量なものであるため、例えば装置前面から強い衝撃力が加えられ、図８の右方向への衝撃力や振動がプランジャ１７に伝達された場合に、ソレノイド１６が励磁されていないにも拘わらず、プランジャ１７が容易に右方向へ移動して、係合ピン１５が引っ込んでしまう。即ち、カード操作をしなくてもキーカセット２を取り出せてしまうことがあるというセキュリティ性の問題点があった。
【０００８】
これに対し、係合ピン１５と係合部７との係合深さを大きくしたり、プランジャ用ばね１８のばね力を上げたりする方法も考えられるが、これらの方法では、プランジャ１７のストロークを大きくしたり、ソレノイド１６の力を強めたりしなければならず、かつ大形の電源が必要となるなど、小形化の妨げとなってしまう。
【０００９】
この発明は、上記のような問題点を解決することを課題としてなされたものであり、装置の大形化を防止しつつ、衝撃力等による係合ピンの誤動作を防止することができ、セキュリティ性を向上させることができる鍵保管装置を得ることを目的とする。
【００１０】
【課題を解決するための手段】
請求項１の発明に係る鍵保管装置は、鍵が取り付けられているキーカセットを収納するホルダと、このホルダに対して支点を中心に回動自在に設けられている連結部材と、連結部材に設けられ、連結部材の回動によりホルダ内に出没するとともに、突出時にキーカセットの係合部に係合してキーカセットの取り出し方向への移動を規制する係合ピンと、連結部材に連結されたプランジャを有し、励磁時に係合ピンが没する方向へ連結部材を回動させるソレノイドと、連結部材に設けられ、ソレノイドの非励磁時における連結部材の回動を防止する釣合重りとを備えたものである。
【００１１】
請求項２の発明に係る鍵保管装置は、連結部材の支点を中心とするモーメントがプランジャと釣り合うように連結部材に設けられている釣合重りを用いたものである。
【００１２】
請求項３の発明に係る鍵保管装置は、支点がホルダの側面に設けられているものである。
【００１３】
請求項４の発明に係る鍵保管装置は、釣合重りの形状が、支点を中心とする円弧状になっているものである。
【００１４】
請求項５の発明に係る鍵保管装置は、連結部材、係合ピン及び釣合重りが、ろう材を鋳造することにより一体的に設けられているものである。
【００１５】
【発明の実施の形態】
以下、この発明の実施の形態を図について説明する。
実施の形態１．
図１はこの発明の実施の形態１による鍵保管装置のキーカセット収納部を示す側面図であり、図６ないし図８と同一又は相当部分には同一符号を付し、その説明を省略する。
【００１６】
図において、２１は連結部材１３に設けられている釣合重りであり、この釣合重り２１は、支点１４を中心とするモーメントがプランジャ１７と釣り合うように、支点１４に対してプランジャ１７とは反対側に設けられている。他の構成は、図８の従来例と同様である。
【００１７】
このような鍵保管装置では、通常のキーカセット２（図７）の出し入れ動作は、従来例と同様である。しかし、図の右方向への衝撃力や振動が加えられた場合、各キーカセット収納部３にそれぞれ釣合重り２１が設けられているため、連結部材１３にはこれを回動させようとするモーメントが作用せず、従って係合ピン１５が下動することはない。即ち、衝撃力等による係合ピン１５の誤動作が防止され、セキュリティ性が向上する。
【００１８】
また、例えばソレノイド１６の駆動力が２５０ｇ前後であるとすると、プランジャ１７の重さは６ｇ程度であり、これに同様の６ｇ程度の釣合重り２１を付加しても、駆動力を上げる必要はなく、装置の大形化は防止される。
【００１９】
実施の形態２．
次に、図２はこの発明の実施の形態２による鍵保管装置のキーカセット収納部を示す側面図、図３は図２の要部平面図、図４は図３の側面図である。上記実施の形態１では、支点１４，連結部材１３及び釣合重り２１がホルダ９の下方に位置していたが、この実施の形態２では、連結部材３１の支点３２がホルダ９の側面に取り付けられている。この連結部材３１は、図３及び図４に示すような形状で、係合ピン３３が設けられている。また、連結部材３１の上部には、支点３２を中心とするモーメントがプランジャ１７と釣り合うように釣合重り３４が設けられている。従って、釣合重り３４は、ホルダ９の下方ではなく、ホルダ９の側方に配置されている。また、連結部材３１、係合ピン３３及び釣合重り３４は、ろう材により一体的に鋳造されている。
【００２０】
このような鍵保管装置によれば、支点３２をホルダ９の側方に位置させたので、釣合重り３４もホルダ９の側方に配置することができ、衝撃力等による係合ピン３３の誤動作を防止するだけでなく、装置の上下方向の寸法を小さくして、一層の小形化を図ることができる。
【００２１】
実施の形態３．
なお、釣合重りの形状は上記各実施の形態に限定されるものではなく、例えば図５に示すように、支点４１を中心とする円弧状の釣合重り４２としてもよい。この場合、支点４１を中心とするトルク力方向に沿った形状であるため、衝撃力等による係合ピンの誤動作を効率よく防止することができる。
【００２２】
また、上記の例では支点１４回りのモーメントがプランジャ１７と釣り合うように釣合重り２１を設けたが、完全に釣り合わせなくてもよい。即ち、連結部材１３を回動させようとするモーメントをある程度でも打ち消すことができれば、ある程度の効果は得られる。
【００２３】
【発明の効果】
以上説明したように、請求項１の発明の鍵保管装置は、ソレノイドの非励磁時における連結部材の回動を防止する釣合重りを連結部材に設けたので、装置の大形化を防止しつつ、衝撃力等による係合ピンの誤動作を防止することができ、セキュリティ性を向上させることができる。
【００２４】
請求項２の発明の鍵保管装置は、連結部材の支点を中心とするモーメントがプランジャと釣り合うように連結部材に設けられている釣合重りを用いたので、係合ピンの誤動作をより効果的に防止することができる。
【００２５】
請求項３の発明の鍵保管装置は、支点がホルダの側面に設けられているので、装置の上下方向の寸法を小さくして、一層の小形化を図ることができる。
【００２６】
請求項４の発明の鍵保管装置は、釣合重りの形状が、支点を中心とする円弧状になっているので、衝撃力等による係合ピンの誤動作を効率よく防止することができる。
【００２７】
請求項５の発明の鍵保管装置は、連結部材、係合ピン及び釣合重りが、ろう材を鋳造することにより一体的に設けられているので、製造が容易である。
【図面の簡単な説明】
【図１】  この発明の実施の形態１による鍵保管装置のキーカセット収納部を示す側面図である。
【図２】  この発明の実施の形態２による鍵保管装置のキーカセット収納部を示す側面図である。
【図３】  図２の要部平面図である。
【図４】  図３の側面図である。
【図５】  この発明の実施の形態３による鍵保管装置の釣合重りを示す正面図である。
【図６】  従来の鍵保管装置の一例を示す斜視図である。
【図７】  図６のキーカセットの断面図である。
【図８】  図６のキーカセット収納部の断面図である。
【符号の説明】
２  キーカセット、９  ホルダ、１３，３１  連結部材、１４，３２，４１  支点、１５，３３  係合ピン、１６  ソレノイド、１７  プランジャ、２１，３４，４２  釣合重り。
【図１】
0003794436.tif 000002
【図２】
0003794436.tif 000003
【図３】
0003794436.tif 000004
【図４】
0003794436.tif 000005
【図５】
0003794436.tif 000006
【図６】
0003794436.tif 000007
【図７】
0003794436.tif 000008
【図８】
0003794436.tif 000009